(57)【要約】【課題】印刷機械と製本機械を用いず、印刷製本にともなう分版処理や版ズレの処理等の専門的な技能を使わずに、小ロットの製本物を簡便に製作できるシステムを提供する。【解決手段】ページ単位に画像を記録する長尺状の画像記録用材料であって、画像を記録する前または後に複数の平行な折り目線を該画像記録用材料のページ単位に設け、該折り目線によってページ物の前小口が揃うようにページ物に折り畳み、且つページ物の背を固定してページ物の画像記録物とすることを特徴とする画像記録物の作成方法。【選択図】　図１
2004142344.tif 000002
【特許請求の範囲】
【請求項１】
ページ単位に画像を記録した長尺状の画像記録用材料であって、画像を記録する前または後に複数の平行な折り目線が該画像記録用材料のページ単位に設けられ、該折り目線によってページ物の前小口が揃うようにページ物に折り畳まれ、且つページ物の背が固定されていることを特徴とするページ物の画像記録物。
【請求項２】
ページ単位に画像を記録した長尺状の画像記録用材料であって、画像を記録する前または後に複数の平行な折り目線が該画像記録用材料のページ単位に設けられ、該折り目線によってページ物に折り畳んだとき、ページ物の前小口が揃うように、且つページ物の背が固定できるように、ページの小口天地幅が異なっていることを特徴とするページ物の画像記録物。
【請求項３】
ページ単位の少なくとも一対の小口下端部を固定して収容袋としたことを特徴とする請求項１または２記載のページ物の画像記録物。
【請求項４】
ページ単位に画像を記録する長尺状の画像記録用材料であって、画像を記録する前または後に複数の平行な折り目線を該画像記録用材料のページ単位に設け、該折り目線によってページ物の前小口が揃うようにページ物に折り畳み、且つページ物の背を固定してページ物の画像記録物とすることを特徴とする画像記録物の作成方法。
【請求項５】
ページ数が多いページ物の画像記録物の作成方法において、ページ単位に画像を記録する長尺状の画像記録用材料に画像を記録する前または後に複数の平行な折り目線を該画像記録用材料のページ単位に設け、該折り目線によってページ物の前小口が揃うようにページ物に折り畳み、折り畳んだ複数のページ物のくるみにより複数ページ物の背を固定することを特徴とするページ物画像記録物の作成方法。
【請求項６】
ページ単位のサイズ、画像の大きさと位置、貼り合わせ位置等のレイアウトデータから該画像記録用材料に画像を記録する請求項４記載の画像記録物の作成方法。
【発明の詳細な説明】
【０００１】
【発明の属する技術分野】
本発明は、各種の画像記録用材料からページ物の画像記録物を作成する方法に関するものである。
【０００２】
【従来の技術】
従来より、印刷製本分野においては、印刷機械と製本機械を使用した大量生産方式がとられてきた。
【０００３】
しかし従来の印刷製本システムは、多くの問題を抱えている。たとえば、印刷版を使用するために、画像の色分版処理や印刷時の版画像のズレを防止する画像処理が必要であり、このために専門的な印刷技能と製本技術を必要とする。また従来の印刷システムでは、印刷用紙、印刷インキ、印刷機および印刷版を使用するため、印刷システムで作られた印刷物の画像発色の色再現範囲が狭く、このため厳密なカラーマネジメントを必要とする。
【０００４】
更に従来の印刷製本システムでは、大量生産を前提に構築された印刷方法と製本方式のために、例えば数冊から数十冊程度の小ロットの印刷製本物の制作には不向きである。更には印刷機械の立ち上がりでの紙ロスが多量に発生する。
【０００５】
ところで、画像記録用材料としては、各種の記録材料が知られており、例えばインクジェット記録材料、感熱記録材料、昇華型熱転写記録材料、溶融型熱転写記録材料などがある。
【０００６】
特にインクジェット記録用材料は、高速、低騒音、多色化が容易、記録パターンの融通性が大きい、現像・定着処理が不要などの特徴があり、漢字を含め各種図形およびカラー画像などの記録方式として種々の用途において急速に普及している。さらに多色インクジェット記録方式により形成される画像は、製版方式による多色印刷に比較して遜色のない記録画像を得ることが可能である。
【０００７】
インクジェット記録用材料の１つの用途として、ミシン目の折り目線により、四つ折り、あるいは八つ折りしても、折り畳みが容易なダイレクトメールの用途が知られている（例えば、特許文献１参照）。
【０００８】
【特許文献１】
特開平９−２９５４５４号公報
【０００９】
一方、写真分野においては、デジタルカメラで撮影した画像をコンビニエンスストア等に設置されたプリンタを使用して、プリントをする方式（デジカメプリントサービス）がとられている。
【００１０】
しかし従来のデジカメプリントサービスでは、画像のみの出力であるため、文字と組み合わせた写真画像の出力はできず、さらに製本物として完成させることはできなかった。
【００１１】
【発明が解決しようとする課題】
本発明の目的は、上記従来の問題を解決することにあり、各種のペンプロッター画像記録、レーザー画像記録、静電画像記録やサーマル画像記録等により画像記録用材料に画像を形成し、この画像記録用材料から小ロットのページ物の画像記録物（以下、製本物という）を低コストで簡便に作成する方法（以下、製本方法という）を提供することにある。
【００１２】
【課題を解決するための手段】
本発明の請求項１は、ページ単位に画像を記録した長尺状の画像記録用材料であって、画像を記録する前または後に複数の平行な折り目線が該画像記録用材料のページ単位に設けられ、該折り目線によってページ物の前小口が揃うようにページ物に折り畳まれ、且つページ物の背が固定されていることを特徴とするページ物の画像記録物である。
【００１３】
本発明の請求項２は、ページ単位に画像を記録した長尺状の画像記録用材料であって、画像を記録する前または後に複数の平行な折り目線が該画像記録用材料のページ単位に設けられ、該折り目線によってページ物に折り畳んだとき、ページ物の前小口が揃うように、且つページ物の背が固定できるように、ページの小口天地幅が異なっていることを特徴とするページ物の画像記録物である。
【００１４】
本発明の請求項３は、ページ単位の少なくとも一対の小口下端部を固定して収容袋としたことを特徴とする請求項１または２記載のページ物の画像記録物である。
【００１５】
本発明の請求項４、ページ単位に画像を記録する長尺状の画像記録用材料であって、画像を記録する前または後に複数の平行な折り目線を該画像記録用材料のページ単位に設け、該折り目線によってページ物の前小口が揃うようにページ物に折り畳み、且つページ物の背を固定してページ物の画像記録物とすることを特徴とする画像記録物の作成方法である。
【００１６】
本発明の請求項５は、ページ数が多いページ物の画像記録物の作成方法において、ページ単位に画像を記録する長尺状の画像記録用材料に画像を記録する前または後に複数の平行な折り目線を該画像記録用材料のページ単位に設け、該折り目線によってページ物の前小口が揃うようにページ物に折り畳み、折り畳んだ複数のページ物のくるみにより複数ページ物の背を固定することを特徴とするページ物画像記録物の作成方法である。
【００１７】
本発明の請求項６は、ページ単位のサイズ、画像の大きさと位置、貼り合わせ位置等のレイアウトデータから該画像記録用材料に画像を記録する請求項４記載の画像記録物の作成方法である。
【００１８】
【発明の実施の態様】
本発明のページ物画像記録物作成方法（製本方法）において、画像記録用材料の種類は、前記したような各種の記録用材料を使用することができるが、画像記録用材料の支持体は、アート紙、コート紙、合成紙、ポリエチレン樹脂被覆紙、白色顔料を含有するフイルム等の不透明支持体であることが好ましい。代表的なインクジェット記録用紙におけるインク受理層は、ポリマー層のコートタイプであっても、顔料からなる空隙層タイプであってもよい。以下、インクジェット記録用紙に基く本発明の代表的な実施態様を図面を用いながら説明する。
【００１９】
【実施例】
図１は、本発明の製本方法により得られた仕上がり製本物である。図２及び図３は、複数の平行な折り目線をページ単位に設けた（または設ける）インクジェット記録用紙であり、図２はロール用紙、図３はシート用紙の例を示している。図４は、インクジェット記録用紙に画像を印字記録するための、ページ単位のサイズ、デジタル画像の大きさと位置、製本糊づけ位置、ページ番号等を記述したコンピュータ上のデジタルレイアウトデータ（台紙）を示している。
【００２０】
図５は、後述する各ページの小口天地の長さ（幅）の関係を模式的に示した上面図である。図６は、本発明の製本物の上面図であり、図５の上面図から折り畳み、ページ物の背を固定した状態を示している。図７は、本発明の請求項５にかかる、ページ数が多い場合の製本状態を示す上面図である。図８は、折り目線によってページ物に折り畳み、「くるみ」により背を固定する前の状態を示すイメージ図である。
【００２１】
本発明において、画像記録用材料に画像を記録するためには、図４に示すように、ページ単位のサイズ、画像の大きさと位置、製本糊づけ（貼り合わせ）位置、ページ番号、更に折り目線や画像の位置マーク（いわゆるトンボ）等をデジタル記述したレイアウトデータ（台紙）をコンピュータで市販の画像処理ソフトを用いて作成することが好ましい。また当該デジタルレイアウトデータをインターネットホームページ上から画像出力し、当該画像記録用材料に記録して製本物とする製本システムとすることもできる。
【００２２】
図４に示すような、デジタル画像の大きさと位置、製本糊づけ位置、ページ番号を書き込んだ台紙データを、あらかじめネットワーク上のサーバーに保管しておき、保管された前記の台紙データを、本発明に使用するインクジェット出力製本システムのパソコンにダウンロードする。
【００２３】
台紙データに張りこむ画像と文字は１対にできるように照合可能な番号を画像と文字に付記し、あらかじめネットワーク上のサーバーに保管しておき、保管された前記の画像と文字を、本発明に使用するインクジェット出力製本システムのパソコンにダウンロードする。
【００２４】
市販のソフトを使用して、台紙に張り込まれて製本される該当の画像データと文字を、台紙データの画像の大きさと位置、製本糊づけ位置、ページ番号、トンボマーク（図４の折り目線トンボ３及び画像トンボ４）に従って、台紙データに張り込んだ。折り目線トンボ３は、画像記録後にミシン目を設ける場合に必要である。また画像トンボ４は、画像を張り込んだ後に消去することが好ましい。
【００２５】
張り込まれたデータ画像を、インクジェット記録用紙の左右中心で出力されるように、エプソン社製インクジェットプリンターＰＭ９０００のドライバ設定をし出力した結果、図４の画像の大きさと位置通りに印字記録された。プリンターの印字可能領域は、各プリンター機種ごとに異なっている。このため、図４の画像は固定であるが、各プリンターの用紙設定の補正を必要とした。
【００２６】
本実施例においては、ポリエチレン樹脂被覆紙上にインク受容層を設けた市販のロール状インクジェット記録用紙を用いて６ページの製本物の例を示す。図３中のｈ−ｉ間の横幅（図５中のｐ）を１５４ｍｍ、ｉ−ｊ（図５中のｑ）及びｊ−ｋ（図５中のｒ）を１４９ｍｍ、ｋ−ｌ（図５中のｓ）及びｌ−ｍ（図５中のｔ）の横幅を１５０．５ｍｍ、ｍからの最終ページの横幅（図５中のｕ）を１５２ｍｍとしたが、この横幅の関係については後述する。各ページの縦寸法は２５７ｍｍとなるようにプリンター内で断裁した。はく離紙付き糊（１）の横幅（図３の符号１の斜線部）は、図３のｈ−ｈ’より左端側の部分８ｍｍを含めて１５ｍｍとした。
【００２７】
図３に示すように、画像が印字記録された長尺状のインクジェット記録用紙に、ページ単位に複数の平行な折り目線（ミシン目：図２のａ−ａ’、ｂ−ｂ’、ｃ１−ｃ１’、・・・。図３のｈ−ｈ’、ｉ−ｉ’、ｊ−ｊ’、・・・）が設けられる。ミシン目加工は、ページ単位に画像を記録する前であっても、記録した後であっても良いが、プリンター内の搬送性を考慮すると、記録した後にミシン目加工することが望ましい。
【００２８】
ミシン目は、記録用紙が切り離れない限り、インクジェット記録用紙を貫通していても貫通していなくても良く、また記録層側から施しても裏面側から施しても良い。ミシン目の長さとミシン目の間隔の比は、一般的には２：１〜１：２０であるが、特に図２のａ−ａ’、図３のｈ−ｈ’は、「くるみ」の部分に相当し、ページ物の背が破断され易いため、前記の比は、１：１〜１：１５が好ましい。折り目線は、ミシン目が好ましいが、記録用紙が切り離れない限り、浅い連続した切り込み線等であっても良い。
【００２９】
１ページ単位の形状は、図２及び図３に示すように、一般的には縦長形状であるが、所望により横長形状や正方形であってもよい。１ページ単位のサイズは、一般的には１００ｍｍ〜５００ｍｍ程度の範囲で、形状に応じて任意に決定することができる。一般的にはＡ３サイズ以上の大判インクジェット記録用紙とそのプリンターを用いて印字するのが望ましい。
【００３０】
折り目線の数は、所望とするページ数に依存する。またページ数は、ページ単位のサイズにより異なるが、現在の一般的な大判インクジェット記録用紙の印字に用いられるインクジェットプリンターでは、１ページ単位の横幅（製本技術用語の「小口の天地」に相当する、例えば図３のｈ−ｉ間の長さ）が１１０〜２５０ｍｍとした場合には４〜８ページ程度が標準的である。
【００３１】
本発明の製本方法は、上述したように、画像が記録され折り目線が設けられた記録材料を、折り目線によってページ物の先端（製本技術用語の「前小口」に相当する）が揃うようにページ物に折り畳み、且つページ物の背を固定してページ物の画像記録物とするものであり、また画像記録された製本前のページ物は天地左右の断裁を必要とせず、そのまま製本できるという利点がある。
【００３２】
本発明の代表的な製本方法は、簡便性、低コスト等の面から、既述した図３に示すように、図４のような画像が記録されページ単位に折り目線が設けられたインクジェット用紙の符号１（図３の斜線部分）に相当する部分（本明細書において、「くるみ」と称する）の裏面（画像が記録されていない面）に、はく離紙付き糊（１）が施される。
【００３３】
図３において、各ページ単位の横幅（小口の天地の長さ）を全く同じにした場合、各ページの先端（製本技術用語の「前小口」に相当する）は不揃いになり、商品価値が著しく低下する。本発明においては、図３及び図５で既述したように、「くるみ」部分を有する第１ページ（図５の符号ｐで示す）、最終ページ（図５の符号ｕで示す）及びそれらの間のページ（図５の符号ｑ〜ｔで示す）は、僅かに小口の天地の長さが異なるように設定することで、前小口が揃い、しかも２ページ以降の背部分が僅かにずれる（図６を参照）ので、製本物として、非常にしっかりとページ物の背を貼り合わせて固定することが出来る。
【００３４】
本発明の製本方法は、簡便性、低コスト等の面から、はく離紙付き糊でページ物の背を固定することが好ましいが、はく離紙付き糊ではなく、通常の糊、接着剤等を筆などで付与しても良い。またステープル止め等の他の方法でページ物の背を固定することもできる。
【００３５】
また本発明の好ましい態様として、例えば図３の第４ページの裏面下端部（「小口の天地」の地の近傍部に相当する）に、はく離紙付き糊（２）が施され、第３ページの裏面と貼り合わせ固定して、前記のデジタルレイアウトデータ等を記録した光ディスク媒体等の収容袋とする。光ディスク媒体等を収容した製本物は、特別な包装をする必要が無く、この状態で顧客に渡すことが出来る。顧客は、この光ディスクを用いて記録画像を鑑賞したり、製本物を再注文することもでき、しかも光ディスク媒体等を包装する新たな別の収納袋を必要としないという利点もある。前記の収容袋は、所望とするページに設けることが出来る。
【００３６】
前述したように、本発明の製本方法は、ページ数にある程度の制限があり、例えば１０ページ以上の要望がある場合には、次のようにすることができる。すなわち、図７に示すように、前述した方法で図５の状態までの複数のページ物を作り、それらを貼り合わせ固定するのであるが、その際、２つ目のページ物の第１ページの「くるみ」部分を、（１つ目のページ物の「くるみ」の折り曲げとは反対方向に）折り曲げて１つ目のページ物に固定し、次に１つ目のページ物の「くるみ」部分を２つ目のページ物の背と一緒にくるんで固定する。固定は同じく、はく離紙付き糊（１）で行うことできる。３つ目のページ物についても同様な方法を繰り返すことで可能である。
【００３７】
図６および図７の方法で得られた製本物は、本としての開き具合や強度、ページの向きなど、製本物として具備すべき項目につき目視検査した結果は、いずれもその実用品質を満足するものであった。
【００３８】
【発明の効果】
本発明によれば、印刷機械と製本機械の投資を必要とせず、印刷製本にともなう分版処理や版ズレの処理等の専門的な技能が必要なく、小ロットの製本物を簡便、低コストで製作できる方法を提供することが可能となった。
【図面の簡単な説明】
【図１】本発明の製本物の完成イメージ図
【図２】ロール状の記録用紙
【図３】シート状の記録用紙
【図４】デジタルレイアウトデータ台紙図
【図５】小口天地の長さの関係を示す上面図
【図６】本発明の製本物の上面図
【図７】多いページ数の製本状態を示す上面図
【図８】背を固定する前の状態を示すイメージ図
【符号の説明】
１　はく離紙付き糊
２　　はく離紙付き糊
３　ミシン目のトンボ
４　画像のトンボ
【図１】
2004142344.tif 000003
【図２】
2004142344.tif 000004
【図３】
2004142344.tif 000005
【図４】
2004142344.tif 000006
【図５】
2004142344.tif 000007
【図６】
2004142344.tif 000008
【図７】
2004142344.tif 000009
【図８】
2004142344.tif 000010